(57)【要約】  【課題】      造作材と壁材との隙間に影が「黒い線」として現れるのを防止することにより、インテリアコーディネート面での幅を広げる。  【解決手段】  「造作材」としての廻縁材１０は、不透明材料からなる基材１６と、基材１６と壁材１２との隙間を覆い隠すようにして基材１６に取着された壁側透明部１８とを備える。したがって、壁材１２と天井材１４とが成すコーナー部Ａに廻縁材１０を取り付けた際には、基材１６と壁材１２との隙間に生じる影が観者の目に入ることはない。また、壁側透明部１８と壁材１２との間に隙間が生じた場合でも、壁側透明部１８は光を透過するため、その隙間に濃影が生じることはない。  【選択図】    図２
2005248549.tif 000002
【特許請求の範囲】
【請求項１】
壁材の表面に取り付けられる造作材であって、
前記壁材と接触する不透明材料からなる基材と、前記基材と前記壁材との隙間を覆い隠すようにして前記基材に取着された透明部とを備える、造作材。
【請求項２】
壁材と天井材とが成すコーナー部において前記基材と前記天井材との隙間を覆い隠すようにして前記基材に取着された透明部を備える、請求項１に記載の造作材。
【請求項３】
前記基材の表面に前記透明部と一体に形成された透明の仕上層を備える、請求項１または２に記載の造作材。
【発明の詳細な説明】
【技術分野】
【０００１】
本発明は、廻縁材、見切材、巾木材、ドア枠材および窓枠材等のような壁材の表面に取り付けられる造作材に関する。
【背景技術】
【０００２】
廻縁材等のような造作材を壁材の表面に取り付けた際には、造作材の反りや、壁材の表面にある凹凸等によって、造作材と壁材との間に隙間が生じる場合がある。そして、この隙間が生じた場合には、室内照明等の光が造作材に遮られることによって隙間に影が生じるため、造作材の色が白色系などの明色であれば、その影が「黒い線」として明確に現れてしまう。そこで、従来では、茶色系などの濃色の造作材を用いることによって、造作材と壁材との隙間に生じる影を目立たないようにしていた。
【０００３】
なお、特許文献１には、造作材と天井材との隙間に生じる影を目立たないようにする技術が開示されているが、この技術は、造作材と壁材との隙間に生じる影を目立たないようにするものではない。
【特許文献１】特開２００２−２３５４３４号公報
【発明の開示】
【発明が解決しようとする課題】
【０００４】
従来では、濃色の造作材を用いることによって影を目立たないようにしていたが、これでは、造作材を選ぶ際に色の制約を受けるため、インテリアコーディネートの自由が損なわれるという問題があった。
【０００５】
それゆえに、この発明の主たる目的は、造作材の色の制約をなくすことができ、インテリアコーディネートの自由が損なわれるのを防止できる、造作材を提供することである。
【課題を解決するための手段】
【０００６】
請求項１に記載した発明は、「壁材１２の表面に取り付けられる造作材１０，２６，２８，３０であって、壁材１２と接触する不透明材料からなる基材１６，２６ａ，２８ａ，４０ａと、基材１６，２６ａ，２８ａ，４０ａと壁材１２との隙間を覆い隠すようにして基材１６，２６ａ，２８ａ，４０ａに取着された透明部１８，２６ｂ，２６ｃ，２８ｂ，４０ｂとを備える、造作材１０，２６，２８，３０」である。
【０００７】
この発明では、基材１６，２６ａ，２８ａ，４０ａと壁材１２との隙間を覆い隠すようにして基材１６，２６ａ，２８ａ，４０ａに透明部１８，２６ｂ，２６ｃ，２８ｂ，４０ｂが取着されているので、基材１６，２６ａ，２８ａ，４０ａと壁材１２との隙間に生じる影が観者の目に入ることはない。また、透明部１８，２６ｂ，２６ｃ，２８ｂ，４０ｂと壁材１２との間に隙間が生じた場合でも、透明部１８，２６ｂ，２６ｃ，２８ｂ，４０ｂは光を透過するため、透明部１８，２６ｂ，２６ｃ，２８ｂ，４０ｂと壁材１２との隙間に濃影が生じることはない。
【０００８】
請求項２に記載した発明は、請求項１に記載した「造作材１０」において、「壁材１２と天井材１４とが成すコーナー部Ａにおいて基材１６と天井材１４との隙間を覆い隠すようにして基材１６に取着された透明部２０を備える」ことを特徴とする。
【０００９】
この発明では、基材１６と壁材１２との隙間を透明部１８で覆い隠すことができ、基材１６と天井材１４との隙間を透明部２０で覆い隠すことができるので、壁側および天井側の両方において影を目立たないようにすることができる。
【００１０】
請求項３に記載した発明は、請求項１または２に記載した「造作材１０，２６，２８，３０」において、「基材１６，２６ａ，２８ａ，４０ａの表面に透明部１８，２６ｂ，２６ｃ，２８ｂ，４０ｂと一体に形成された透明の仕上層２２を備える」ことを特徴とする。
【００１１】
この発明では、透明部１８，２６ｂ，２６ｃ，２８ｂ，４０ｂと仕上層２２とを同じ材料で一体成形することができる。また、透明の仕上層２２によって造作材１０，２６，２８，３０の表面に光沢感および深み感を持たせることができる。
【発明の効果】
【００１２】
本発明では、基材と壁材との隙間が透明部で隠されるので、基材と壁材との隙間に生じる影が観者の目に入ることはない。また、透明部を透過した光は透明部と壁材との隙間に照射されるので、この隙間に濃影が生じることはない。したがって、造作材の色が白色系などの明色である場合でも、造作材と壁材との隙間に生じる影が「黒い線」として明確に現れることはなく、部屋のデザインに応じて造作材の色を自由に選択することができ、インテリアコーディネート面での幅を広げることができる。
【発明を実施するための最良の形態】
【００１３】
図１および図２を参照して、本発明が適用された「造作材」としての廻縁材１０は、壁材１２と天井材１４とが成すコーナー部Ａの仕上げ残部を覆い隠す目的で、コーナー部Ａにおける壁材１２の表面に取り付けられるものであり、壁材１２に接触する不透明材料からなる基材１６と、基材１６と壁材１２との隙間を覆い隠すようにして基材１６に取着された壁側透明部１８と、基材１６と天井材１４との隙間を覆い隠すようにして基材１６に取着された天井側透明部２０とを備える。
【００１４】
基材１６は、コーナー部Ａに沿って延びる長尺部材であり、基材１６の背面および上面は、壁材１２および天井材１４と当接し得るように平坦に形成されており、下面は、装飾性を考慮して曲面に形成されている。また、基材１６の表面には、釘を打つための凹部１６ａが長手方向の全長に亘って形成されている。そして、基材１６の下部背面側の角部および上部表面側の角部には、壁側透明部１８および天井側透明部２０が取着される凹部１６ｂおよび１６ｃが形成されている。
【００１５】
なお、基材１６を構成する不透明材料は、特に限定されるものではないが、むく材、合板、ＭＤＦ等のような木質材や、塩化ビニル樹脂、アクリル樹脂、ABS、AS、PP、PE、ポリカーボネート等のような合成樹脂や、アルミ、スチール等のような金属を用いることができる。
【００１６】
また、基材１６の色は、材料に色素を混入することによって付されてもよいし、基材１６の表面に塗料を塗布したり、色付のシートやテープを張り付けたりすることによって付されてもよいし、材料自体の色であってもよい。
【００１７】
そして、基材１６の形状は、壁材１２および天井材１４と接触し得る他の形状（Ｌ状等）であってもよく、凹部１６ｂおよび１６ｃの形状は、略半円形や略三角形等であってもよい。基材１６と壁側透明部１８および天井側透明部２０とを合成樹脂で押し出し成形する場合には、凹部１６ｂおよび１６ｃを「溝」として形成する必要がないので、それらの形状を比較的自由に定めることができる。
【００１８】
壁側透明部１８は、基材１６に形成された凹部１６ｂに沿って延びる断面略四角形の長尺部材であり、透明材料（半透明材料を含む。）によって一体に形成されたものである。壁側透明部１８の２つの面は、凹部１６ｂの内面に沿うように形成されており、残りの２つの面は、基材１６の背面および下面と連続するように形成されている。
【００１９】
天井側透明部２０は、基材１６に形成された凹部１６ｃに沿って延びる断面略四角形の長尺部材であり、透明材料（半透明材料を含む。）によって一体に形成されたものである。天井側透明部２０の２つの面は、凹部１６ｃの内面に沿うように形成されており、残りの２つの面は、基材１６の表面および上面と連続するように形成されている。
【００２０】
なお、壁側透明部１８および天井側透明部２０を構成する透明材料は、特に限定されるものではないが、塩化ビニル樹脂、アクリル樹脂、ABS、AS、PP、PE、ポリカーボネート等を用いることができる。また、壁側透明部１８および天井側透明部２０を構成する透明材料に光散乱物質を混入したり、壁側透明部１８の表面に微細な凹凸を形成したりすることによって、壁側透明部１８および天井側透明部２０に光散乱機能を持たせるようにしてもよい。
【００２１】
また、壁側透明部１８および天井側透明部２０の厚みは、特に限定されるものではないが、濃影が生じるのを防止する効果を十分に発揮させるためには、３ｍｍ以上であることが望ましい。
【００２２】
また、基材１６と壁側透明部１８および天井側透明部２０との接合態様は、特に限定されるものではないが、基材１６を木質材や金属で形成する場合には、基材１６の凹部１６ｂおよび１６ｃを溝状に形成し、そこに壁側透明部１８および天井側透明部２０を嵌め合わせて接着してもよいし、基材１６を合成樹脂で形成する場合には、基材１６と壁側透明部１８および天井側透明部２０とを同時に押し出し成形してもよい。さらに、壁側透明部１８および天井側透明部２０を、基材１６の下面および表面から突出するように形成してもよい。
【００２３】
廻縁材１０を使用する際には、図２に示すように、廻縁材１０をコーナー部Ａに配置し、基材１６の背面および上面を壁材１２および天井材１４に当接させる。そして、基材１６の凹部１６ａに釘を位置決めし、この釘によって廻縁材１０を壁材１２に固定する。
【００２４】
そして、室内照明や窓からの光がコーナー部Ａに照射されると、その光は廻縁材１０における基材１６の表面において反射され、また、壁側透明部１８および天井側透明部２０を透過して廻縁材１０と壁材１２および天井材１６との隙間に照射される。したがって、白色系などの明色の廻縁材１０を用いた場合でも、隙間において影が「黒い線」として明確に現れることはない。
【００２５】
なお、上述の実施例では、基材１６に対して壁側透明部１８および天井側透明部２０の両方を取着しているが、図３に示すように、壁側透明部１８だけを取着してもよい。また、図４に示すように、基材１６の表面に、壁側透明部１８および／または天井側透明部２０と一体に透明の仕上層２２を形成してもよいし、基材１６の背面に接着剤を溜めるための溝２４を形成してもよい。基材１６の表面に仕上層２２を形成する場合には、壁側透明部１８および／または天井側透明部２０と仕上層２２とを同じ材料で一体成形することができる。また、透明の仕上層２２によって造作材１０の表面に光沢感および深み感を持たせることができる。
【００２６】
また、本発明の造作材は、廻縁材１０（図１〜図４）の他に、見切材２６（図５〜図７）、巾木材２８（図８）、ドア枠材３０（図９、図１０）および窓枠材（図示省略）等にも適用可能である。
【００２７】
見切材２６（図５〜図７）は、天井材１４および床材３２（図８）から離れた位置において壁材１２に取り付けられるものであり、不透明材料からなる長尺の基材２６ａを有している。そして、基材２６ａの下部および上部の背面側の角部には、基材２６ａと壁材１２との隙間を覆い隠すようにして透明材料からなる透明部（本発明の「壁側透明部」に相当する。）２６ｂおよび２６ｃが取着されている。
【００２８】
見切材２６においては、天井材１４および床材３２から離れた位置に取り付けられることから、基材２６ａの下部背面側および上部背面側の両方の角部に透明部２６ｂを取着する態様（図５）と、下部背面側の角部にだけ透明部２６ｂを取着する態様（図６）と、上部背面側の角部にだけ透明部２６ｂを取着する態様（図７）とが考えられる。
【００２９】
巾木材２８（図８）は、壁材１２と床材３２とが成すコーナー部Ｂの仕上げ残部を覆い隠す目的で、コーナー部Ｂにおける壁材１２の表面に取り付けられるものであり、不透明材料からなる長尺の基材２８ａを有している。そして、基材２８ａの上部背面側の角部および下部表面側の角部には、基材２８ａと壁材１２および床材３２との隙間を覆い隠すようにして透明材料からなる壁側透明部２８ｂおよび床側透明部２８ｃが取着されている。
【００３０】
巾木材２８においては、コーナー部Ｂに取り付けられることから、基材２８ａの上部背面側および下部表面側の両方の角部に壁側透明部２８ｂおよび床側透明部２８ｃを取着する態様（図８）と、上部背面側の角部にだけ透明部２８ｂを取着する態様（図示省略）とが考えられる。
【００３１】
ドア枠材３０（図９、図１０）は、建物における開口部３４においてドア３６を支持するものであり、開口部３４の内周面に取り付けられる本体部３８と本体部３８の幅方向側端から延びて壁材１２の表面を覆う見切部４０とによって構成されている。見切部４０は、不透明材料からなる長尺の基材４０ａを有しており、基材４０ａの端部背面側の角部には、基材４０ａと壁材１２との隙間を覆い隠すようにして透明部（本発明の「壁側透明部」に相当する。）４０ｂが取着されている。
【００３２】
また、ドア枠材３０においては、本体部３８の側面に戸当たり４２が取り付けられるが、この戸当たり４２に透明部材４４を取着することによって、戸当たり４２とドア３６との隙間を隠すようにしてもよい（図１０）。この場合には、戸当たり４２とドア３６との隙間に濃影が生じるのを防止できるとともに、透明部材４４をクッションとして機能させることができる。
【図面の簡単な説明】
【００３３】
【図１】廻縁材を示す斜視図である。
【図２】廻縁材の使用状態を示す斜視図である。
【図３】廻縁材の変形例を示す斜視図（使用状態）である。
【図４】廻縁材の変形例を示す斜視図である
【図５】見切材を示す斜視図（使用状態）である。
【図６】見切材の変形例を示す斜視図（使用状態）である。
【図７】見切材の変形例を示す斜視図（使用状態）である。
【図８】巾木を示す斜視図（使用状態）である
【図９】ドア枠を示す正面図（使用状態）である。
【図１０】ドア枠を示す断面図（使用状態）である。
【符号の説明】
【００３４】
１０…  廻縁材
１２…  壁材
１４…  天井材
１６…  基材
１６ａ〜１６ｃ…  凹部
１８…  壁側透明部
２０…  天井側透明部
２２…  仕上層
２６…  見切材
２８…  巾木材
３０…  ドア枠材
４０…  見切部
【図１】
2005248549.tif 000003
【図２】
2005248549.tif 000004
【図３】
2005248549.tif 000005
【図４】
2005248549.tif 000006
【図５】
2005248549.tif 000007
【図６】
2005248549.tif 000008
【図７】
2005248549.tif 000009
【図８】
2005248549.tif 000010
【図９】
2005248549.tif 000011
【図１０】
2005248549.tif 000012